(57)【要約】      （修正有）【課題】歯の隙間または歯を清掃でき、口腔清掃の作業に便利となる口腔清掃用品を提供する。【解決手段】手持ち部１２を結合することができるＵ字型端部１０と、前記Ｕ字型端部に配設することができる複数のブラシ２０と、Ｕ字型端部に配置することができるデンタルフロス部３０とを備えた口腔清掃用品である。上記の口腔清掃用品は、歯の隙間まで届き清掃できるうえ、後側の歯および大部分の歯の隙間にまで届いて清掃することが可能となる。【選択図】図１
0003132670.tif 000002
【実用新案登録請求の範囲】
【請求項１】
手持ち部を結合したＵ字型端部と、
前記Ｕ字型端部に配設された複数のブラシと、
前記Ｕ字型端部に配置されたデンタルフロス部と、を備えることを特徴とする口腔清掃用品。
【請求項２】
前記複数のブラシが、前記Ｕ字型端部の左下方に配置されていることを特徴とする請求項１に記載の口腔清掃用品。
【請求項３】
前記Ｕ字型端部の左下方を巻回しているアタッチメントを更に備えることを特徴とする請求項２に記載の口腔清掃用品。
【考案の詳細な説明】
【技術分野】
【０００１】
本考案は清掃用品に関し、特に口腔清掃用品に関する。
【背景技術】
【０００２】
いかにして健康な歯を維持するかということは、現代人にとって無視することのできない健康の上での常識となっている。しかし、事をなすにはまず道具が必要である。定期的に歯科に出向いて検査を受ける以外に、口腔を清掃する補助的用品があってこそ、初めて歯を正確にそして根本から清潔にして、口腔を最良な状態に保つことができる。
とりわけ歯の隙間の大きい、または歯周病の人にとっては、歯ブラシの不適または歯骨が損傷することにより、歯肉が縮み、歯の隙間が大きくなってしまう事態も起こりうる。このような場合には通常の清掃用品では、歯ブラシで清掃できない歯の隙間までは届かない。歯周病の患者にとっては、特にあり得る問題である。
また、楊枝のような簡単な清掃用品は、後側の歯まで届いて清掃するということは容易ではない。市販されていてよく目にするデンタルフロスでは、一部の歯の隙間を清掃するにすぎないということが多い。したがって、歯ブラシで清掃できない歯の隙間まで届いて清掃できるうえ、後側の歯および大部分の歯の隙間にまで届いて清掃することが可能な口腔清掃用品を提供する必要がある。
歯の不具合の多くは歯茎から始まる。したがって、日頃から歯茎をマッサージして、その新陳代謝を促進し、血液の循環を助けることにより、歯茎の抵抗力を向上させることができるので、歯周病を防ぐのに寄与する。
よって、本考案の考案者は上記した欠点を改善できると考え、ひたすら研究に勤しむとともに学理の運用を加えて、設計が合理的で且つ上記した欠点を効果的に改善できる本考案を提案するに至った。
【考案の内容】
【０００３】
本考案の目的の一つは、歯の隙間または歯を清掃でき、口腔清掃の作業に便利となる口腔清掃用品を提供することにある。
上記またはその他の目的を達成するために、手持ち部を結合することができるＵ字型端部と、前記Ｕ字型端部に配設することができる複数のブラシと、Ｕ字型端部に配置することができるデンタルフロス部とを備えた口腔清掃用品を提供する。
上記の口腔清掃用品は、歯の隙間まで届き清掃できるうえ、後側の歯および大部分の歯の隙間にまで届いて清掃することが可能となる。
本考案の特徴および技術内容をより詳細に理解できるよう、本考案に係る以下の詳細な説明および図面を参照されたい。しかし図面は単に参考と説明に用いられるものであり、本考案を限定するためのものではない。
【実施形態】
【０００４】
図１は、本考案の好ましい実施例に係る口腔清掃用品を示す立体構造概略図である。図１を参照されたい。この口腔清掃用品は、手持ち部１２を結合したＵ字型端部１０と、Ｕ字型端部１０に配設することができる複数のブラシ２０と、Ｕ字型端部１０に配置することができるデンタルフロス部３０とを備えている。前記ブラシ２０はＵ字型端部１０の左下方に配置することができる。このとき、Ｕ字型端部１０はその右側で手持ち部１２に結合される。
前記口腔清掃用品はＵ字型端部１０の左下方を巻回しているアタッチメント４０を更に備えている。このうち、ブラシ２０はアタッチメント４０に設けることができる。またアタッチメント４０はブラシ２０と一体成形することも可能である。アタッチメント４０およびブラシ２０については、熱可塑性エラストマー（ＴＰＥ）により構成することができる。熱可塑性エラストマー（ＴＰＥ）は、高温下で溶融し、一般的な加工温度下では硫化ゴムの特性を備えた材料として、高い引張抵抗と低い圧縮変形性を持ち、加工コストが低く、加工しやすく、加硫することなく、そしてゴムの触感がよく、機械性能に優れ、１００％回収でき、耐低温特性、耐薬品性、優れた伸び特性、優れた耐候性などの特性を持つ熱可塑性ゴム（ＴＰＲ）と呼ぶこともできる。
【０００５】
前記Ｕ字型端部１０の上方には第１の端部５０および第２の端部５２を備えている。この場合、デンタルフロス部３０は第１の端部５０および第２の端部５２の間に配置されている。また、前記Ｕ字型端部１０左下方は、下縁７０および両側７２（一方が図面の手前側を向き、他方が図面の奥側を向いている）を備えている。
前記ブラシ２０は一組の長めブラシ６０、および二組の短めブラシ６２を備えている。このうち、長めブラシ６０はＵ字型端部１０の左下方の下縁７０に配置でき、二組の短めブラシ６２はＵ字型端部１０の左下方の両側７２にそれぞれ配置することができる。これらブラシ２０の末端は線状でも、円形平面でもよい。好ましいのは、図１に示すように、Ｕ字型端部１０の左下方の下縁７０に配置されているブラシ６０の末端は線状で、Ｕ字型端部１０の左下方の両側７２にそれぞれ配置されているブラシ６２の末端は円形平面とされるものである。
【０００６】
図３は、本考案の好ましい実施例に係り、アタッチメントが設けられていないときの、Ｕ字型端部および手持ち部を示す構造概略図である。図３を参照されたい。Ｕ字型端部１０の左下方の幅はその他の位置における幅よりも狭い。その目的の一つは、アタッチメント４０（図１）をＵ字型端部１０に効率的に装着し、これに伴ってブラシ２０（図１）をＵ字型端部１０にしっかりと設けて、ブラシ２０の使用における安定性および寿命に寄与するようにすることである。
【０００７】
図２を参照されたい。ブラシ２０は歯ブラシで清掃できない歯の隙間まで届き、歯の隙間の食べ物の残りかすや歯垢を除去し、歯の隣接面の清潔度を増進して、また舌苔を削り取るのにも用いることができる。歯間が詰まった歯の狭い隙間については、デンタルフロス部３０を用いて清掃できる。これから理解できるように、本考案はデンタルフロス部３０およびブラシ２０の長所を同時に兼備し、二つの機能を持つという二重効果を達成することができる。
注目すべきは、本考案では、デンタルフロス部３０およびブラシ２０の両方をＵ字型端部１０に配置したことで、使用者が本考案の口腔清掃用品を使用する際に、手持ち部１２を指で軽く挟んで回転させるだけで、デンタルフロス部３０およびブラシ２０を交替して使用でき、使用においてはかなり便利となるということである。また、使用の利便性のためには、図２に示すように、手持ち部１２を適当な流線型デザインに設計することができる。
【０００８】
しかも、本考案におけるブラシ２０およびデンタルフロス部３０は手持ち部１２を共有しており、全体構造を簡素化でき、製造コストを削減できるので、消費者は二種類の清掃用品を購入する必要がなく、使用に便利であるばかりでなく、費用も節約でき、環境問題も併せて考慮することができる。
さらに、本考案の口腔清掃用品は、歯ブラシで清掃できない歯の隙間まで届き清掃できるうえ、後側の歯および大部分の歯の隙間にまで届いて清掃することが可能である。
本考案の口腔清掃用品は二重の射出成形金型で製造することができる。つまり、同一の金型中にて、二本の材料供給管で、手持ち部１２、ブラシ２０およびアタッチメント４０をそれぞれ同時に製造できる。手持ち部１２の材料は、ＡＢＳまたは高密度ＰＳとすることができる。
【０００９】
別の角度から言えば、上記した好ましい実施例は、手持ち部１２、Ｕ字型端部１０、複数のブラシ２０、およびデンタルフロス部３０を備えている糸ようじを提供するものである。Ｕ字型端部１０には手持ち部１２が結合され、かつＵ字型端部１０の上方は第１の端部５０および第２の端部５２を備えることができる。
前記Ｕ字型端部１０はその右側で手持ち部１２に結合されている。前記ブラシ２０についてはＵ字型端部１０に配置することができるが、デンタルフロス部を口腔に入れたとき、Ｕ字型端部１０の左下方が口腔内の歯または歯茎組織に接近しやすくするために、左下方に配置するのが最も望ましい。デンタルフロス部３０については、前記第１の端部５０と第２の端部５２との間に配置することができる。
さらに他の角度から見ると、本考案は清掃用品の使用方法を提供するものである。まず、前記口腔清掃用品のデンタルフロス部で口腔を清掃する。その後、デンタルフロス部では清掃目的が達成されないとき、前記口腔清掃用品の手持ち部を指で軽く挟んで回転させることで、ブラシで口腔を清掃できる。
【００１０】
上記をまとめると、本考案は稀に見る新型の創作的製品であり、まさしく産業上の利用可能性、新規性および進歩性を具備し、実用新案の要件を全て満たしており、ここに特許法に基づいて出願し、詳細に審査された上で実用新案として登録することで、考案者の権益が保証されるよう切望する。
ただし、上記は単に本考案における好ましい実施例にすぎず、故にこれが本考案の範囲を限定するというものではないため、本考案の明細書および図面の内容を運用してなされる同等の効果、同等の構造の変更は、いずれも本考案の範囲内に包括されるものと考えるのが理に適っていることを併せて言明する。
【図面の簡単な説明】
【００１１】
【図１】本考案の好ましい実施例に係る口腔清掃用品を示す立体構造概略図である。
【図２】本考案の好ましい実施例に係る口腔清掃用品を示す側面概略図である。
【図３】本考案の好ましい実施例に係り、アタッチメントが設けられていないときの、Ｕ字型端部および手持ち部を示す構造概略図である。
【符号の説明】
【００１２】
１０ Ｕ字型端部
１２ 手持ち部
２０ ブラシ
３０ デンタルフロス部
４０ アタッチメント
５０ 第１の端部
５２ 第２の端部
６０ 長めブラシ
６２ 短めブラシ
７０ 下縁
７２ 両側
【図１】
0003132670.tif 000003
【図２】
0003132670.tif 000004
【図３】
0003132670.tif 000005
【手続補正書】
【提出日】平成19年3月29日(2007.3.29)
【手続補正１】
【補正対象書類名】実用新案登録請求の範囲
【補正対象項目名】全文
【補正方法】変更
【補正の内容】
【実用新案登録請求の範囲】
【請求項１】
手持ち部を結合したＵ字型端部と、
前記Ｕ字型端部に配設された複数のブラシと、
前記Ｕ字型端部に配置されたデンタルフロス部と、を備えることを特徴とする口腔清掃用品。
【請求項２】
前記複数のブラシが、前記Ｕ字型端部の下方の前記手持ち部が結合されていない部分に配置されていることを特徴とする請求項１に記載の口腔清掃用品。
【請求項３】
前記Ｕ字型端部の下方の前記手持ち部が結合されていない部分を巻回しているアタッチメントを備えることを特徴とする請求項２に記載の口腔清掃用品。